(57)【要約】【課題】竪樋に沿って配線される配線コードを外観よくしかも簡単に保持できると共に、竪樋から建物側への配線の引き回しが容易となる竪樋用控え具を提供する。【解決手段】建物の壁面８に取り付けられる壁取り付け部２と竪樋７が支持される竪樋支持部３とを有する本体１０と、前記本体１０に設けられ配線コード９が支持される配線保持部６とを備える。【選択図】図１
2011144622.tif 000002
【特許請求の範囲】
【請求項１】
建物の壁面に取り付けられる壁取り付け部と竪樋が支持される竪樋支持部とを有する本体と、前記本体に設けられ配線コードが支持される配線保持部と、を備えて成ることを特徴とする竪樋用控え具。
【請求項２】
前記配線保持部は、前記本体に対して回動自在に設けられることを特徴とする請求項１記載の竪樋用控え具。
【請求項３】
前記配線保持部は、前記本体に対して着脱自在に設けられることを特徴とする請求項１又は２記載の竪樋用控え具。
【請求項４】
一対の掴み片の一端同士が回動自在に連結されると共に他端に互いに着脱自在に連結される嵌合部がそれぞれ設けられて前記竪樋支持部が構成され、前記配線支持部は、前記掴み片の上端に係止される上係止部と、前記掴み片の下端に係止される下係止部と、前記上係止部と前記下係止部とを連結する中片と、前記中片に設けられ配線コードが支持される前記配線支持部と、で構成される配線保持部材が、前記本体に対して着脱自在に設けられることを特徴とする請求項３記載の竪樋用控え具。
【請求項５】
前記配線支持部材が取り付けられる被取り付け部として、前記掴み片の内面の上下端部に、前記上係止部と前記下係止部とが嵌まり込む凹部が凹設されることを特徴とする請求項４記載の竪樋用控え具。
【請求項６】
前記配線支持部材が、前記掴み片に対して取付け位置可変自在であることを特徴とする請求項４記載の竪樋用控え具。
【発明の詳細な説明】
【技術分野】
【０００１】
本発明は、配線保持機能を有する竪樋用控え具に関し、詳しくは住宅やビルなどの建物の壁面に沿って竪樋を取り付けるための控え具に配線保持機能を持たせるようにした技術に関するものである。
【背景技術】
【０００２】
一般に、屋根上に設置されるテレビのアンテナ線とか太陽電池パネルの給電線などの配線コードは、建物の軒下にぶら下がっていたり、建物の壁面に乱雑に這わせているのが実情であり、このため建物の外観が見苦しくなり、また強風時に配線コードが暴れて断線するなどの問題があった。
【０００３】
そこで、かかる問題を解消するために、従来より、雨樋（竪樋）の側面にその全長に亘って縦長形状の配線ダクトを並設して、この配線ダクト内部に配線コードを収納するようにした配線構造が知られている（例えば特許文献１参照）。
【先行技術文献】
【特許文献】
【０００４】
【特許文献１】特開平９−２１７４６９号公報
【発明の概要】
【発明が解決しようとする課題】
【０００５】
ところが上記特許文献１に開示された従来技術にあっては、竪樋の全長に至る長さの配線ダクト内部に配線コードを挿通する必要があり、配線作業がきわめて面倒となり、そのうえ配線コードを縦長形状の配線ダクト内部を経由して建物側へ引き回すようにしているため、引き回し作業に手間がかかるだけでなく配線の引き回し距離が長くなるという課題を有していた。
【０００６】
本発明は上記の事情に鑑みてなされたものであって、その目的とするところは、竪樋に沿って配線される配線コードを外観よくしかも簡単に保持できると共に、竪樋から建物側への配線の引き回しが容易となる竪樋用控え具を提供することを課題とするものである。
【課題を解決するための手段】
【０００７】
上記課題を解決するために、本発明は、以下のような構成とする。
【０００８】
建物の壁面に取り付けられる壁取り付け部と竪樋が支持される竪樋支持部とを有する本体と、前記本体に設けられ配線コードが支持される配線保持部と、を備えることを特徴とする。
【０００９】
また、前記配線保持部は、前記本体に対して回動自在に設けられることが好ましい。
【００１０】
また、前記配線保持部は、前記本体に対して着脱自在に設けられることが好ましい。
【００１１】
また、一対の掴み片の一端同士が回動自在に連結されると共に他端に互いに着脱自在に連結される嵌合部がそれぞれ設けられて前記竪樋支持部が構成され、前記配線支持部は、前記掴み片の上端に係止される上係止部と、前記掴み片の下端に係止される下係止部と、前記上係止部と前記下係止部とを連結する中片と、前記中片に設けられ配線コードが支持される前記配線支持部と、で構成される配線保持部材が、前記本体に対して着脱自在に設けられることが好ましい。
【００１２】
また、前記配線支持部材が取り付けられる被取り付け部として、前記掴み片の内面の上下端部に、前記上係止部と前記下係止部とが嵌まり込む凹部が凹設されることが好ましい。
【００１３】
また、前記配線支持部材が、前記掴み片に対して取付け位置可変自在であることが好ましい。
【発明の効果】
【００１４】
本発明においては、竪樋に沿って配線される配線コードを外観よくしかも簡単に保持できると共に、竪樋から建物側への配線の引き回しが容易となる。
【図面の簡単な説明】
【００１５】
【図１】本発明の一実施形態の竪樋用控え具の一例を示し、（ａ）は竪樋に取り付けた状態の正面図であり、（ｂ）は斜視図である。
【図２】（ａ）は同上の竪樋支持部を構成する前方の掴み片を開いた状態の平面図であり、（ｂ）はフック部材の配線コード挿入口から配線コードを挿入する場合を説明する平面図である。
【図３】（ａ）は同上の竪樋支持部を構成する前方の掴み片を閉じた状態を説明する斜視図であり、（ｂ）は（ａ）とは別の角度から見た斜視図である。
【図４】同上の実施形態の他例であり、（ａ）は控え具を竪樋に取り付けた状態の側面図であり、（ｂ）は斜視図であり、（ｃ）は平面図である。
【図５】他の実施形態の控え具を示し、（ａ）は分解斜視図であり、（ｂ）は本体が竪樋が保持された状態の斜視図である。
【図６】同上における控え具の本体を示し、（ａ）は斜視図であり、（ｂ）は平面図である。
【図７】同上における配線保持部材を示し、（ａ）は背方側から見た斜視図であり、（ｂ）は前方側から見た斜視図である。
【図８】同上における控え具の本体に配線保持部材の上係止部が取り付けられる前の状態を示し、（ａ）は斜視図であり、（ｂ）は竪樋が保持された状態の斜視図である。
【図９】同上における控え具の本体に配線保持部材が取り付けられる状態を示し、（ａ）は斜視図であり、（ｂ）は竪樋が保持された状態の斜視図である。
【図１０】同上における竪樋を保持した本体に配線保持部材が取り付けられた後の状態を示し、（ａ）は正面図であり、（ｂ）は斜視図であり、（ｃ）は平面図である。
【図１１】更に他の実施形態の控え具を示す図であり、（ａ）は控え具を保持した本体に配線保持部材が取り付けられる前の状態を示し、（ｂ）は控え具を保持した本体の嵌合凸部に配線保持部材が挿通されている状態を示し、（ｃ）は控え具を保持した本体に配線保持部材が取り付けられた後の状態を示す。
【図１２】（ａ）（ｂ）（ｃ）は同上において配線保持部材の本体に対する左右方向の移動を説明する斜視図である。
【図１３】同上における本体取り付け部を示し、（ａ）は背方側から見た斜視図であり、（ｂ）は前方側から見た斜視図である。
【図１４】同上における配線保持部を示し、（ａ）は前方側から見た斜視図であり、（ｂ）は背方側から見た斜視図である。
【図１５】（ａ）（ｂ）（ｃ）は同上において配線保持部材の本体に対する回転を説明する斜視図である。
【発明を実施するための形態】
【００１６】
以下、本発明の一実施形態について図１乃至図４に基いて説明する。
【００１７】
本実施形態の竪樋用控え具１は、住宅やビルなどの建物の壁面８に沿って竪樋７を取り付けるための本来の竪樋支持機能に加えて、竪樋７に沿って配線される電線等の配線コード９を保持するための配線保持機能を併せ持っている。本実施形態の控え具１は金属で形成されるものとし、以下に控金具１ａとして説明するが、控え具１は金属に限定されず合成樹脂等により形成されてもよい。
【００１８】
この控金具１ａは、竪樋７が保持される本体１０と、配線が保持される配線保持部６と、を有する。本体１０は、竪樋７を支持するクランプ構造の竪樋支持部３と、竪樋支持部３の背面側を建物の壁面８に止着するための壁取り付け部２としての壁面止着部２０と、で形成され、この本体１０に配線コード９の一部を保持するための配線保持部６が一体に形成されている。
【００１９】
上記竪樋支持部３は、図２（ａ）に示すように、ハーフリング状の一対の掴み片３１ａ，３１ｂを有しており、前方の掴み片３１ａの一端部と後方の掴み片３１ｂの一端部とがヒンジ部３２を介して回動自在に連結されており、両掴み片３１ａ，３１ｂの他端部の一方に設けた嵌合凸部３３ｂと他方に設けた嵌合凹部３３ａとにより着脱自在な嵌合部３３が構成されており、これら嵌合凸部３３ｂと嵌合凹部３３ａとを嵌合させることで図２（ｂ）に示すように、竪樋７の外周形状にならったリング形状となって竪樋７の外周を把持するものである。
【００２０】
ここでは、前方の掴み片３１ａが竪樋７の前側の略２／３周に配置され、後方の掴み片３１ｂが竪樋７の背面側の略１／３周に配置されるようにしており、両掴み片３１ａ，３１ｂのヒンジ部３２及び嵌合部３３がそれぞれ正面方向Ｄ（図２（ｂ）、図３（ａ）参照）から見て控金具１ａの背面側に配設されている。
【００２１】
また後方の掴み片３１ｂにおけるヒンジ部３２と嵌合凹部３３ａとの間には、壁面止着部２０の頭部１４が一体に設けられている。壁面止着部２０の釘足２１ｂは壁面８に向かって突出しており、この釘足２１ｂが建物の壁面８に打ち込まれるものである。なお壁面止着部２０は釘足形状に限らず、ネジ形状であってもよい。
【００２２】
上記配線保持部６は、図２（ｂ）に示すように、弾性変形可能な平面視Ｃ形状のフック部材６ａで構成される。本実施形態のフック部材６ａは、上下方向Ａ（図１（ａ））にそれぞれ開口し且つ横方向Ｂ（本実施形態では側方Ｂ１）に開口して、配線コード９の一部を保持するものである。このフック部材６ａは、後方の掴み片３１ｂにおけるヒンジ部３２よりも背面側から壁面止着部２０の頭部１４に至る側面部分に一体に固着されており、配線コード挿入口６０が控金具１ａの側方Ｂ１に向けて突出している。フック部材６ａの出寸法は、正面方向Ｄから見て竪樋支持部３の右側の側面と略同じかそれよりも若干突出する程度とされる。
【００２３】
フック部材６ａの横方向Ｂの開口部は配線コード９を挿入する配線コード挿入口６０となっている。本実施形態では、配線コード９の挿入をスムーズに行うために、配線コード挿入口６０を図２（ｂ）の矢印方向Ｅに拡開可能とし、さらに配線コード挿入口６０を外側方に向かってラッパ状に拡開させてあり、これにより、配線コード挿入口６０は太さの異なる様々なタイプの配線コードでも挿入しやすくなり且つ挿入後は配線コード挿入口６０の弾性収縮によって配線コード９が抜け止めされるものである。なお、フック部材６ａの内径寸法は１本の配線コード９に限らず、複数本の配線コード９を束ねて保持可能な寸法としてもよい。
【００２４】
本実施形態では、フック部材６ａの配線コード挿入口６０を控金具１ａの側方Ｂ１に開口させているが、必ずしもこれに限らず、例えば後方（壁面８側）或いは前方（壁面８と反対側）に向けて開口したものであってもよく、要は横方向Ｂから配線コード９が挿入可能となっていればよい。
【００２５】
本実施形態では、建物の壁面８に固定した控金具１ａの竪樋支持部３により竪樋７を把持できると同時に、控金具１ａのフック部材６ａにより配線コード９の要所を保持できる。これにより、配線コード９を竪樋７に沿わせて綺麗に納めることができる。また本実施形態のフック部材６ａは控金具１ａの背面側に設けられているので、正面方向Ｄから見てフック部材６ａが目立たちにくく、控金具１ａ全体を違和感のないすっきりとした外観に保つことができる。
【００２６】
また、フック部材６ａは、竪樋７に沿って配線される配線コード９の一部を引掛け保持する簡易な構造であり、従来のような縦長形状の配線ダクトと異なり、配線作業を簡単に行うことができ、そのうえ例えば強風時に配線コード９が暴れて断線するおそれや、壁面修理等を行う場合に配線コード９を過って断線させるおそれがなくなり、外観向上に加えて、安全性向上も図られる。
【００２７】
さらに、竪樋７の長さ方向の複数個所に配設される控金具１ａのうち任意の高さの控金具１ａを分岐点として建物側への横引き配線が可能となるので、従来のような竪樋の全長に至る配線ダクト内部を経由して配線を引き回す場合と異なり、竪樋７から建物側への配線の引き回し作業が容易にできると共に、配線の引き回し距離を大幅に短縮できるという利点もある。
【００２８】
前記実施形態では、配線保持機能を有するフック部材６ａを、控金具１ａの一側方Ｂ１に向かって突出させた場合を例示したが、他例として、図４に示すように、控金具１ａの他側方Ｂ２に向かって別のフック部材６ｂを突出させる構造も可能である。この別のフック部材６ｂは、フック部材６ａと左右対称構造をしており、後方の掴み片３１ｂにおける嵌合凹部３３ａよりも背面部から壁面止着部２０の頭部１４に至る側面部分に一体に固着されており、配線コード挿入口６０が控金具１ａの他側方Ｂ２に向けて突出している。他の構成は図１〜図３の実施形態と同様である。本実施形態では、正面方向Ｄ（図４（ｃ））から見て両方のフック部材６ａ，６ｂがそれぞれ目立たないようにしながら、フック部材６ａ，６ｂの数を増やすことができ、配線の数の増加に容易に対応可能となる。
【００２９】
なお、前記各実施形態では竪樋７が丸樋の場合を例示したが、角樋の場合は竪樋支持部３は角樋の外周形状にならった角形状に形成されるものである。
【００３０】
次に、他の実施形態について図５乃至図１０に基いて説明する。
【００３１】
本実施形態の控え具１は、図５に示されるように、竪樋７が保持される本体１０と、配線が保持される配線保持部材４と、を有するもので、本体１０は、壁取り付け部２と竪樋支持部３とで構成される。本体１０は金属又は合成樹脂等で形成されるものであり、配線保持部材４は、金属、合成樹脂等の中から適宜選択された材料により形成される。
【００３２】
壁取り付け部２は、図６に示されるように、取り付け片２１と、取り付け片２１に対して直交するように突設された腕片２２と、からなる側面視略転倒したＴ字状に形成されている。取り付け片２１は、正面視略矩形の板状をしたものであるが、形状は特に限定されない。この取り付け片２１には、腕片２２が突設された部分以外の部分に、固着具が挿通される取り付け孔２３が穿設されている。本実施形態では、取り付け片２１の上下方向の中央部から腕片２２が突設されると共に、取り付け片２１の腕片２２の上側及び下側の二箇所に取り付け孔２３が形成されているが、特にこれに限定されない。また、壁取り付け部２は側面視略転倒したＴ字状に限定されない。
【００３３】
竪樋支持部３は、一対の略半円状の掴み片３１の一端同士がヒンジ部３２等の枢支部により回転自在に連結されている。また、一対の掴み片３１の他端からは、嵌合部３３がそれぞれ設けられており、嵌合部３３が互いに着脱自在となっている。本実施形態では、一方の掴み片３１の先端に、嵌合部３３として内方に開口する略円弧状をした嵌合凹部３３ａが設けられ、他方の掴み片３１の先端に、嵌合部３３として外方に突出する嵌合凸部３３ｂが設けられている。そして、嵌合凸部３３ｂに嵌合凹部３３ａが被嵌されて係合されることで連結され、環状をした竪樋保持部が形成される。掴み片３１は可撓性を有しており、嵌合凹部３３ａと嵌合凸部３３ｂとが係合する際、掴み片３１が撓んで嵌合凹部３３ａが嵌合凸部３３ｂを乗り越える。なお嵌合部３３は、前記嵌合凹部３３ａと嵌合凸部３３ｂとからなり互いに係合されるものの他、ビス等で連結するもの等、様々な形態が適用され、特に限定されない。そして、一対の掴み片３１のうちの一の掴み片３１の外面の中間部に、上記腕片２２の突出端が一体に接続されている。
【００３４】
また掴み片３１には、配線保持部材４が着脱自在に装着されるもので、これについては後述する。
【００３５】
上記控え具１は、取り付け片２１が建物の壁面８の外面に沿うように配置され、取り付け孔２３を介してビス等の固着具（図示せず）が挿通されて壁面８に固着されて取り付けられる。そして、一対の掴み片３１が開かれ、一対の掴み片３１間に竪樋７が通された後、一対の掴み片３１が閉じられて嵌合部３３により連結され、竪樋７が保持される。以下、配線保持部材４について説明する。
【００３６】
配線保持部材４は、図７に示されるように、本体１０へ取り付けられる本体取り付け部５と、配線が保持される配線保持部６と、を備えている。本体取り付け部５は、本実施形態では掴み片３１に取り付けられるもので、掴み片３１の上端に引っ掛けられて係止される上係止部５１と、掴み片３１の下端に引っ掛けられて係止される下係止部５２と、上係止部５１と下係止部５２とを連結する中片５３と、からなる。
【００３７】
中片５３は、本実施形態では掴み片３１の外面に沿うように彎曲する内面を有する、正面視略矩形の板状をしたものであるが、特に形状は限定されない。中片５３の上端に設けられる上係止部５１は、中片５３の上端縁から内面側に突出すると共に突出端から下方に曲折する略逆Ｌ字状をしたもので、掴み片３１の上端の上方に被嵌される。中片５３の下端には、下係止部５２が設けられる。下係止部５２は、中片５３の下端縁から内面側に突出される水平片と該水平片の突出端から上方に突出する係合凸部５２ａとで形成される。
【００３８】
また掴み片３１には、図６に示されるように、一方の掴み片３１（本実施形態では腕片２２に一体に接続される掴み片３１）の内面の上下端部に、配線保持部材４が取り付けられる被取り付け部として、上係止部５１と下係止部５２とが嵌まり込む凹部３４が凹設されている。
【００３９】
中片５３の外面側には、配線が保持される配線保持部６が設けられる。本実施形態では、平面視略円環状をし外周の一部が欠けて開口する、可撓性を有するものである。そして、配線コード挿入口６０の両端縁間（間口）が広げられて配線が挿入され、内部に配線が挿入されると配線コード挿入口６０の間口が元に戻されて狭められ、配線が配線コード挿入口６０から抜けなくなる。また、配線コード挿入口６０の両端縁においては、掴み片３１の曲がる方向と反対の方向に曲がる曲面からなるガイド６１が外方に向けて形成され、配線が配線コード挿入口６０内に挿入される際のガイドとなる。
【００４０】
この配線保持部材４は、図８に示されるように、上係止部５１が掴み片３１の凹部３４が凹設された部分の上端に被嵌される。次に、図９に示されるように、係止嵌合凸部５２ｂが掴み片３１の下端を乗り越えられ、図１０に示されるように、下係止部５２が掴み片３１の下端に係止されて掴み片３１に取り付けられ、ワンタッチでの取り付けが可能である。
【００４１】
上係止部５１と下係止部５２とが掴み片３１の凹部３４に嵌まり込むと、上係止部５１と下係止部５２は掴み片３１の横方向に移動できないため、位置決めがなされることとなる。また、上係止部５１の上下長さは下係止部５２（すなわち係止嵌合凸部５２ｂ）の上下長さよりも長く、掴み片３１の凹部３４は上側及び下側共に上係止部５１の上下長さと略同じ上下長さとなっており、掴み片３１（即ち本体１０）が上下逆に取り付けられていても配線保持部材４が取り付けられるようになっている。
【００４２】
本体取り付け部５が本体１０に取り付けられた状態で、配線保持部６に配線が配線コード挿入口６０を介して挿入されて保持される。これにより、配線が竪樋７に沿って配設されることとなり、紐や締結バンドが不要で見苦しくないものであると共に、風により暴れることもなく家屋が損傷したり配線自身も損傷したりすることもない。また、配線コード挿入口６０の両端縁間が広げられて配線が配線保持部６から抜き出されることも可能である。
【００４３】
配線保持部材４は、必要である場合には本体１０に取り付けられ、必要がない場合には本体１０に取り付けられなくてもよい。配線保持部材４が取り付けられない場合でも、本体１０により竪樋７が保持されるため、従来の控え具１と同様に利用可能である。またこの場合でも、本体１０の掴み片３１の内面に凹設された凹部３４は目立たないため、見栄えが悪くなることもない。
【００４４】
なお、本実施形態では凹部３４が凹設されているが、凹部３４は凹設されていなくてもよく、この場合には見栄えが悪くなることは全くない。
【００４５】
また配線保持部材４は、壁面８に取り付けられた本体１０が竪樋７を保持している状態で、後付けで本体１０に取り付け可能であり、竪樋７を取り外したりする必要がなく手間がかからないものである。また、予め配線保持部材４が本体１０に取り付けられた状態で、本体１０が壁面８に取り付けられてもよい。
【００４６】
次に、更に他の実施形態について図１１及び図１２に基いて説明する。なお、本実施形態は大部分において図５乃至図１０に示す実施形態と同様であるため、同じ構成については説明を省略し、主に異なる構成について説明する。
【００４７】
図５乃至図１０に示すでは、配線保持部材４の本体取り付け部５を、その上係止部５１を掴み片３１の上端に引っ掛け、下係止部５２の嵌合凸部５２ｂを掴み片３１の下端を乗り越えさせて取り付けるのに対し、掴み片３１の端部から本体取り付け部５を挿通させるものである。
【００４８】
図１１に示すように、下係止部５２は、中片５３の下端縁から内面側に突出すると共に突出端から上方に曲折する略Ｌ字状をしたもので、上係止部５１と同様で上下を反転させた形状となっている。すなわち、下係止部５２の上方に屈曲した部分の長さが図５や図７に示す上記実施形態の係合凸部５２ａよりも長く、下係止部５２の上方に屈曲した部分が掴み片３１の下端を乗り越えることができないものである。
【００４９】
本実施形態においては、配線保持部材４を掴み片３１に取り付けるには、図１１に示すように、本体取り付け部５を掴み片３１ａの嵌合凸部３３ａに挿通させ（図１１（ａ）、図１１（ｂ）参照）、掴み片３１ａに挿通させるものである（図１１（ｃ）参照）。これにより、配線支持部材が、掴み片３１ａ、３１ｂに対して取付け位置可変自在となる。また、配線保持部材４が掴み片３１ａから脱落するのが確実に防止される。
【００５０】
更に、本実施形態における他例を図１３乃至図１５に示す。本例の配線保持部材４においては、配線保持部６が本体取り付け部５に対して回転自在に装着されている。
【００５１】
図１３に示すように、本体取り付け部５の中片５３に挿通穴５４が貫通形成されると共に、配線保持部６に連結部６２が設けられる。連結部６２は、図１４に示すように、配線保持部６本体から突出する首部６２ａと、首部６２ａの先端に形成される該首部６２ａより大径の頭部６２ｂと、で構成される。挿通穴５４は、図１３に示すように、首部６２ａの径より若干大きく頭部６２ｂの径よりも小さい首部挿通孔５４ａと、頭部６２ｂの径より若干大きい頭部挿通孔５４ｂと、で構成される。
【００５２】
首部６２ａが首部挿通孔５４ａに挿通され、頭部６２ｂが頭部挿通孔５４ｂに位置し、頭部挿通孔５４ｂにより抜け止めがなされると共に、頭部挿通孔５４ｂが中片５３の表面から突出しないようになっている。
【００５３】
これにより、図１５に示すように、配線保持部６が本体取り付け部５に対して回動自在となることで控え具１の本体１０に対して回動自在となり、挿通される配線コード９の向きを任意にすることができる。
【００５４】
なお、図１乃至図４に示す実施形態においても、配線保持部６に連結部６２を設けると共に、本体１０に挿通穴５４を貫通形成することで、配線保持部６が本体１０に対して回動自在となり、挿通される配線コード９の向きを任意にすることができる。
【符号の説明】
【００５５】
１    控え具
１０  本体
１４  頭部
２    壁取り付け部
２０  壁面止着部
２１  取り付け片
２１ｂ  釘足
２２  腕片
２３  取り付け孔
３    竪樋支持部
３１ａ  掴み片
３１ｂ  掴み片
３２  ヒンジ部
３３  嵌合部
３３ａ  嵌合凸部
３３ｂ  嵌合凹部
３４  凹部
４    配線保持部材
５    本体取り付け部
５１  上係止部
５２  下係止部
５３  中片
５４  挿通穴
５４ａ  首部挿通孔
５４ｂ  頭部挿通孔
６    配線保持部
６０  配線コード挿入口
７    竪樋
８    壁面
９    配線コード
【図１】
2011144622.tif 000003
【図２】
2011144622.tif 000004
【図３】
2011144622.tif 000005
【図４】
2011144622.tif 000006
【図５】
2011144622.tif 000007
【図６】
2011144622.tif 000008
【図７】
2011144622.tif 000009
【図８】
2011144622.tif 000010
【図９】
2011144622.tif 000011
【図１０】
2011144622.tif 000012
【図１１】
2011144622.tif 000013
【図１２】
2011144622.tif 000014
【図１３】
2011144622.tif 000015
【図１４】
2011144622.tif 000016
【図１５】
2011144622.tif 000017